(57)【要約】【課題】膜構造物の屋根面に対してロープ状の避雷導体を取り付けるに当たり、たとえ屋根面に積雪があり、かつその後に滑雪が発生しても、避雷導体に損害が及ばないようにする。【解決手段】左右それぞれの側の本体膜２Ａ、２Ｂが定着されるとともに、左右の本体膜２Ａ、２Ｂ間に跨ってフラップ膜１１が接合される膜定着部位において、前記フラップ膜１１の設置位置に、凹状の窪み１５ｂが形成された避雷導体収容部材１５を配設固定するとともに、前記避雷導体収容部材１５の凹状窪み１５ｂ内に避雷導体１４が嵌入され、かつ圧入によって前記凹状窪み１５ｂに対して係止可能とされる避雷導体押え部材１７を上面側から取り付けることによって前記避雷導体１４を固定保持し、前記フラップ膜１１は前記避雷導体収容部材１５部分において前記凹状窪み１５ｂと避雷導体１４との間を巡るように連続して配設されている。【選択図】　図２
2004092262.tif 000002
【特許請求の範囲】
【請求項１】
膜構造物の屋根面に対してロープ状の避雷導体を取り付けるための取付構造であって、
左右それぞれの側の本体膜が定着されるとともに、左右の本体膜間に跨って雨仕舞い用補助膜が前記本体膜に熱溶着によって接合される膜定着部位において、
前記雨仕舞い用補助膜の設置位置に、部材長手方向に沿って凹状の窪みが形成された避雷導体収容部材を配設固定するとともに、前記避雷導体収容部材の凹状窪み内に避雷導体が嵌入され、かつ圧入によって前記凹状窪みに対して係止可能とされる避雷導体押え部材を上面側から取り付けることによって前記避雷導体を固定保持し、前記雨仕舞い用補助膜は前記避雷導体収容部材部分において前記凹状窪みと避雷導体との間を巡るように連続して配設されていることを特徴とする膜構造物における避雷導体の取付構造。
【請求項２】
膜構造物の屋根面に対してロープ状の避雷導体を取り付けるための取付方法であって、
左右それぞれの側の本体膜が定着されるとともに、左右の本体膜間に跨って雨仕舞い用補助膜が前記本体膜に熱溶着によって接合される膜定着部位において、
前記雨仕舞い用補助膜の設置位置に、部材長手方向に沿って凹状の窪みが形成された避雷導体収容部材を配設固定するとともに、前記避雷導体収容部材の上面側に雨仕舞い用補助膜を被せた状態で更にその上面側から避雷導体を前記凹状窪み内に嵌入し、次いで圧入によって前記凹状窪みに対して係止可能とされる避雷導体押え部材を上面側から取り付けることによって前記避雷導体を固定保持し、その後に前記雨仕舞い用補助膜の両側をそれぞれ本体膜に対して熱溶着によって接合することを特徴とする膜構造物における避雷導体の取付方法。
【発明の詳細な説明】
【０００１】
【発明の属する技術分野】
本発明は、膜構造物の屋根面に対してロープ状の避雷導体を膜構造物に取り付けるための取付構造および取付方法に関する。
【０００２】
【従来の技術】
ビル等の大型構造物では一般に、落雷による被害を防ぐために構造物の頂部に金属棒等からなる避雷針を設けるとともに、避雷導線により接地し地中へ放電して雷撃を防ぐようにしている。
【０００３】
一方、膜構造物においては、屋根表面積が広いとともに、避雷針を頂部に設置すると意匠性を損なうことから、屋根膜面にアルミワイヤ等からなるロープ状の避雷導体を沿わせるように設置し、一端を地盤に接地する方法が多く採用されている。
【０００４】
かかる避雷導体を屋根膜に沿わせるように取り付けるには、一般的に屋根膜の上面に屋根膜と同一素材からなる小片状の膜材を用いて取り付ける方法が多く採用されている。具体的には、図４および図５に示されるように、膜材片２３を二重に折り返すと共に、折返し部分に中空部２３ａを形成するようにした左右一対の定着用膜材２０、２０を屋根膜２１に対し熱溶着によって固定し、前記中空部２３ａ、２３ａ内に前記ロープ状の避雷導体２２を挿通することにより取り付けるようにしている。
【０００５】
【発明が解決しようとする課題】
しかしながら、前述した避雷導体の取付構造を、例えば積雪地帯の膜構造物に適用した場合、屋根面に積もった雪と前記避雷導体２２とが氷結によって結合し、その後積雪が屋根面を滑落した際に、滑雪による荷重によって避雷導体２２に大きな力が作用し、避雷導体２２が前記定着用膜材２０を剥離しながら垂れ落ちることがあった。
【０００６】
そこで本発明の主たる課題は、膜構造物の屋根面に対してロープ状の避雷導体を取り付けるに当たり、たとえ屋根面に積雪があり、かつその後に滑雪が発生しても、避雷導体に損害を及ぼさないようにした避雷導体の取付構造および取付方法を提供することにある。
【０００７】
【課題を解決するための手段】
前記課題を解決するための請求項１に係る発明として、膜構造物の屋根面に対してロープ状の避雷導体を取り付けるための取付構造であって、
左右それぞれの側の本体膜が定着されるとともに、左右の本体膜間に跨って雨仕舞い用補助膜が前記本体膜に熱溶着によって接合される膜定着部位において、
前記雨仕舞い用補助膜の設置位置に、部材長手方向に沿って凹状の窪みが形成された避雷導体収容部材を配設固定するとともに、前記避雷導体収容部材の凹状窪み内に避雷導体が嵌入され、かつ圧入によって前記凹状窪みに対して係止可能とされる避雷導体押え部材を上面側から取り付けることによって前記避雷導体を固定保持し、前記雨仕舞い用補助膜は前記避雷導体収容部材部分において前記凹状窪みと避雷導体との間を巡るように連続して配設されていることを特徴とする膜構造物における避雷導体の取付構造が提供される。
【０００８】
上記請求項１に係る発明においては、本体膜の定着部位に凹状窪みを有する避雷導体収容部材を配設固定し、この避雷導体収容部材に避雷導体を嵌入させた状態で取付けを行うようにした。従って、凹状窪み内に避雷導体が嵌入保持されているため、仮に積雪と避雷導体とが氷結した状態から滑雪したとしても、避雷導体が滑雪と共に引きずられることが無くなるため損害が及ぶことが無くなる。
【０００９】
一方、膜定着部では、室外側面に雨仕舞いのために、本体膜と同様の膜材（雨仕舞い用補助膜）を両側の本体膜に跨るように設置するとともに、長手方向に沿って本体膜に連続的に熱溶着し、雨水等が浸入しないようにする雨仕舞い構造が多く採用されているが、本発明では雨仕舞い用補助膜は前記避雷導体収容部材部において前記凹状窪みと避雷導体との間を巡るように連続しているため、雨仕舞いも万全なものとできる。
【００１０】
次いで請求項２に係る本発明として、膜構造物の屋根面に対してロープ状の避雷導体を取り付けるための取付方法であって、
左右それぞれの側の本体膜が定着されるとともに、左右の本体膜間に跨って雨仕舞い用補助膜が前記本体膜に熱溶着によって接合される膜定着部位において、
前記雨仕舞い用補助膜の設置位置に、部材長手方向に沿って凹状の窪みが形成された避雷導体収容部材を配設固定するとともに、前記避雷導体収容部材の上面側に雨仕舞い用補助膜を被せた状態で更にその上面側から避雷導体を前記凹状窪み内に嵌入し、次いで圧入によって前記凹状窪みに対して係止可能とされる避雷導体押え部材を上面側から取り付けることによって前記避雷導体を固定保持し、その後に前記雨仕舞い用補助膜の両側をそれぞれ本体膜に対して熱溶着によって接合することを特徴とする膜構造物における避雷導体の取付方法が提供される。
【００１１】
【発明の実施の形態】
以下、本発明の実施の形態について図面を参照しながら詳述する。
図１は本発明に係る避雷導体の取付構造が適用された膜体定着部の断面図であり、図２はその要部拡大図、図３はその斜視図である。
【００１２】
〔本体膜の定着構造〕
断面略Ｈ形を成す鉄骨梁１の上面フランジ１ａには、部材長手方向に適宜の間隔で略Ｗ字状のリブ材３，３…が溶接等によって固定され、前記リブ材３，３…を支持材として左右それぞれの側の先端部分に長手通しのガイドパイプ５，５が固定されているとともに、内側に長手通しの不等辺アングル４，４が固定され、この不等辺アングル４の一方側フランジ４ａに対し、膜定着用ファスナー１０が連結された定着用ボルト６が引込み調整自在に取り付けられている。
【００１３】
前記膜定着用ファスナー１０は、先端部分にエッジロープ呑込み溝１０ａが形成されるとともに、後端部分にボルト頭部嵌合溝１０ｂが形成された押出し形材であり、前記ボルト頭部嵌合溝１０ｂに対して頭部を嵌合させた定着用ボルト６のネジ部を前記不等辺アングル４に形成した孔部に挿通し、一方側フランジ４ａを跨ぐ両側にそれぞれ調整ナット７〜９を配設することにより、前記膜定着用ファスナー１０を引込み調整自在としている。
【００１４】
一方、前記膜定着用ファスナー１０によって側縁が支持される本体膜２Ａ、２Ｂは、ガラス繊維や合成樹脂繊維などで形成された繊維織物に四フッ化エチレン樹脂や塩化ビニル樹脂、或いは合成ゴムなどのコーティング材を塗布したものが使用され、前記鉄骨梁１を跨いで両側に張設される本体膜２Ａ、２Ｂの側縁部分を二重に折り返し縫い合わすことにより側縁に沿って袋部が形成され、この袋部内にポリエステル樹脂のマルチフィラメント単糸、すなわち複数本の繊維を撚り合わせた単糸からなるエッジロープ１９が挿入されている。そして、前記膜定着用ファスナー１０に形成されたエッジロープ呑込み溝１０ａの端面開口より前記エッジロープ１９を袋部と共に挿入することにより本体膜２Ａ、２Ｂの側縁部分が張力が掛かっても抜け出ないように支持されるようになっている。本体膜２Ａ、２Ｂの側縁部分を前記膜定着用ファスナー１０に定着したならば、調整ナット７〜９を所定方向に回転させることにより、前記定着用ボルト６を引き込み、本体膜２Ａ、２Ｂに張力が導入されるようになっている。なお、前記ガイドパイプ５は膜材２Ａ、２Ｂの方向を転換するためのガイド部材である。
【００１５】
〔避雷導体１４の取付構造〕
次いで、避雷導体１４の取付構造を、雨仕舞い用補助膜１１（以下、フラップ膜という。）の取付け手順とともに詳述する。
【００１６】
先ず、前記リブ材３の中央位置に対してサポート柱１３を立設するとともに、このサポート柱１３とガイドパイプ５との間に、薄鋼板からなる下地材１２を設置する。前記下地材１２は、サポート柱１３がわ端部１２ａが階段状に折曲げ加工されるとともに、ガイドパイプ５がわ端部１２ｂが鉤状に折り曲げ加工されており、設置状態では図２に示されるように、前記サポート柱１３の頂部に前記階段状折曲げ加工部によって凹部１２ｃが形成されるようになっている。そして、この凹部１２ｃ内に長手通しの避雷導体収容部材１５を設置した上で、ビス１６により前記下地材１２と共にサポート柱１３に固定する。
【００１７】
前記避雷導体収容部材１５は、上面側に凹状の窪み１５ｂが形成された断面略Ｕ字状の押出し形材であり、左右の立片の上部内側には後述する避雷導体押え部材１７を係止するための第１係合突起１５ａ、１５ａが形成されている。
【００１８】
ここまでの作業を終えたならば、次に前記下地材１２および避雷導体収容部材１５の上面にフラップ膜１１を被せ、フラップ膜１１の上面側であってかつ前記避雷導体収容部材１５位置にアルミワイヤ等からなる避雷導体１４を沿わせるとともに、避雷導体１４を前記避雷導体収容部材１５の凹状窪み１５ｂ内に嵌入するようにして設置する。なお、前記フラップ膜１１としては、通常、前記本体膜２Ａ、２Ｂと同種、同色の膜材料が使用される。
【００１９】
前記避雷導体１４を避雷導体収容部材１５内に嵌入させたならば、次に圧入によって前記凹状窪み１５ｂに対して係止可能とされる避雷導体押え部材１７を上面側から取り付けることによって前記避雷導体１４を堅固に固定保持する。前記避雷導体押え部材１７としては、例えば図示されるように、両側に前記避雷導体収容部材１５の第１係合突起１５ａに対して係合可能とされる第２係合突起１７ａ、１７ａを備えた半リング状の部材が用いられ、避雷導体１４に被せるようにしながら圧入すると、前記第２係合突起１７ａが避雷導体収容部材１５の第１係合突起１５ａの下側に係合することにより容易に抜け出ないように固定保持される。この避雷導体押え部材１７は、前記避雷導体１４の長手方向に沿って適宜の間隔で複数設けられる。
【００２０】
以上、避雷導体１４の設置が完了したならば、図１に示されるように、フラップ膜１１の両側部分をそれぞれ本体膜２Ａ、２Ｂの上面側に重ね、この重ね部分１８，１８を熱溶着によって接合するようにする。
【００２１】
図２に示されるように、避雷導体１４の設置完了状態では、前記フラップ膜１１は前記避雷導体収容部材１５部位において、前記凹状窪み１５ｂと避雷導体１４との間を巡るように連続して配設されているため、雨仕舞いも万全なものとなっている。
【００２２】
【発明の効果】
以上詳説のとおり本発明によれば、避雷導体は凹状窪みを有する避雷導体収容部材に対して嵌入状態で設置されるため、たとえ屋根面に積雪があり、かつその後に滑雪が発生しても、避雷導体には何ら損害が及ぶことが無くなる。
【００２３】
また、前記避雷導体の取付部では、雨仕舞い用補助膜は前記避雷導体収容部材部分において、避雷導体収容部材に形成された凹状窪みと避雷導体との間を巡るように連続して配設されるため、雨仕舞いも万全なものとできる。
【図面の簡単な説明】
【図１】本発明に係る避雷導体の取付構造が適用された膜体定着部の断面図である。
【図２】その要部拡大図である。
【図３】その斜視図である。
【図４】従来例に係る膜体の避雷導体取付構造を示す斜視図である。
【図５】その断面図である。
【符号の説明】
１…鉄骨梁、２Ａ・２Ｂ…本体膜、３…リブ材、４…不等辺アングル、５…ガイドパイプ、７〜９…調整ナット、１０…膜定着用ファスナー、１０ａ…エッジロープ呑込み溝、１１…雨仕舞い用補助膜（フラップ膜）、１２…下地材、１３…サポート柱、１４…避雷導体、１５…避雷導体収容部材、１７…避雷導体押え部材
【図１】
2004092262.tif 000003
【図２】
2004092262.tif 000004
【図３】
2004092262.tif 000005
【図４】
2004092262.tif 000006
【図５】
2004092262.tif 000007